(57)【特許請求の範囲】
【請求項１】
使用済み商品を投入可能な投入口と、前記投入口より投入され落下する前記使用済み商品を受けて貯留する貯留手段と、前記貯留手段に貯留されている前記使用済み商品を取り出し可能な回収手段とを備えた使用済み商品回収箱において、
前記投入口は、前記使用済み商品回収箱の上面に切りこみを入れて形成されているとともに表示部が備えられたツメ部を、前記使用済み商品回収箱の内部方向に折り曲げることにより形成されており、
前記使用済み商品回収箱における本体部の背面に設けられ、前記本体部の背面に固定されている固定端を中心として回動し、前記本体部の正面側から視認可能となる使用位置と、視認不能となる折り畳み位置とに、変位可能である表示板を備えたことを特徴とする使用済み商品回収箱。
【請求項２】
請求項１に記載の使用済み商品回収箱において、前記投入口は複数設けられていることを特徴とする使用済み商品回収箱。
【請求項３】
請求項１又は２に記載の使用済み商品回収箱において、
前記貯留手段の上側に設けられた開口部と
前記開口部を覆う上蓋とを備え、
前記上蓋は、同上蓋の下縁が内側に折り返されて形成される折り返し部を備えたことを特徴とする使用済み商品回収箱。
【請求項４】
請求項３に記載の使用済み商品回収箱において、前記投入口は、前記上蓋に設けられていることを特徴とする使用済み商品回収箱。
【請求項５】
請求項１〜４のいずれか１つに記載の使用済み商品回収箱において、
前記使用位置にて前記表示板を保持及び解除可能な留め具を更に備えたことを特徴とする使用済み商品回収箱。
【請求項６】
請求項５に記載の使用済み商品回収箱において、前記留め具は面ファスナーであることを特徴とする使用済み商品回収箱。
【発明の詳細な説明】
【０００１】
【発明の属する技術分野】
本発明は、使用済み商品回収箱に関するものである。
【０００２】
【従来の技術】
近年、環境保全が重要視され、レーザープリンタの使用済みのトナーカートリッジや、インクジェットプリンタの使用済みインクカートリッジといった、使用済み商品を対象とした回収・リサイクルが行われている。そして、これらの使用済み商品をユーザーから回収するルートは、全国のパソコンショップ等に専用の回収箱を設置することにより確立されている。なお、回収された使用済み商品は、リサイクルされて再び製品として販売されたり、再生樹脂としてプリンタ部品の一部に活用されたりしている。
【０００３】
【発明が解決しようとする課題】
ところで、上記従来の使用済み商品回収箱（以下、回収箱とする）においては、回収箱に不慣れなユーザーにとっては、投入口を見分けることが難しくなっていた。そして、例えば、使用済みのトナーカートリッジ用の投入口に使用済みのインクカートリッジを誤って投入してしまう問題等が生じていた。
【０００４】
そこで、投入口が設けられている面を斜状にし、投入すべき使用済み商品の種類を投入口の周りに表示して、投入口を分かりやすくすることなどが行われている。しかし、これによって回収箱のサイズが大きくなり、パソコンショップの売り場用スペースを小さくしてしまう原因となっていた。
【０００５】
本発明は、投入口を容易に見分けることができるとともに、小型化することができる使用済み商品回収箱を提供することにある。
【０００６】
【課題を解決するための手段】
上記問題点を解決するために、請求項１に記載の発明は、使用済み商品を投入可能な投入口と、前記投入口より投入され落下する前記使用済み商品を受けて貯留する貯留手段と、前記貯留手段に貯留されている前記使用済み商品を取り出し可能な回収手段とを備えた使用済み商品回収箱において、前記投入口は、前記使用済み商品回収箱の上面に切りこみを入れて形成されているとともに表示部が備えられたツメ部を、前記使用済み商品回収箱の内部方向に折り曲げることにより形成されており、前記使用済み商品回収箱における本体部の背面に設けられ、前記本体部の背面に固定されている固定端を中心として回動し、前記本体部の正面側から視認可能となる使用位置と、視認不能となる折り畳み位置とに、変位可能である表示板を備えたことを要旨とする。
【０００７】
請求項２に記載の発明は、請求項１に記載の使用済み商品回収箱において、前記投入口は複数設けられていることを要旨とする。
請求項３に記載の発明は、請求項１又は２に記載の使用済み商品回収箱において、前記貯留手段の上側に設けられた開口部と前記開口部を覆う上蓋とを備え、前記上蓋は、同上蓋の下縁が内側に折り返されて形成される折り返し部を備えたことを要旨とする。
【０００８】
請求項４に記載の発明は、請求項３に記載の使用済み商品回収箱において、前記投入口は、前記上蓋に設けられていることを要旨とする。
【０００９】
請求項５に記載の発明は、請求項１〜４のいずれか１つに記載の使用済み商品回収箱において、前記表示板を前記使用位置において保持及び解除可能な留め具を備えたことを要旨とする。
【００１０】
請求項６に記載の発明は、請求項５に記載の使用済み商品回収箱において、前記留め具は面ファスナーであることを要旨とする。
（作用）
請求項１に記載の発明によれば、使用済み商品回収箱の上面に切り込みを入れてツメ部を形成し、ツメ部を使用済み商品回収箱の内部方向に折り曲げることによって、使用済み商品を投入可能な投入口を形成するようにした。そして、ツメ部には、表示部を備えるようにした。
【００１１】
従って、投入口を形成するツメ部の表示部に、投入すべき使用済み商品の種類を記載して、ユーザーに使用済み商品の投入を促すことができる。その結果、正面方向からの表示部の視認が容易になり、ユーザーは、間違った種類の使用済み商品を投入することがなくなる。そして、投入口の周りに、投入すべき使用済み商品の種類を記載するためのスペースを設ける必要がなくなり、使用済み商品回収箱をコンパクト化することができる。
さらに、使用済み商品回収箱の背面に、使用位置と折り畳み位置とに変位可能となる表示板を取り付けるようにした。従って、使用済み商品回収箱をパソコンショップ等に設置するときには、表示板に使用済み商品の投入を促す表示を施して、表示板を使用位置に移動させてユーザーに対して視認可能とし、ユーザーに使用済み商品の投入を促すことができる。また、輸送時のように、表示が不要なときには、表示板を折り畳み位置に移動させ、使用済み商品回収箱全体をコンパクト化することができる。
【００１２】
請求項２に記載の発明によれば、ツメ部によって形成された投入口を、１つの使用済み商品回収箱に複数設けるようにした。
従って、使用済み商品は、複数の投入口より投入され、貯留手段に均一に落下するようになり、貯留の偏りを防止することができる。
【００１３】
請求項３に記載の発明によれば、使用済み商品回収箱に、貯留手段の上側に開口部を設けるとともに、その開口部を覆う上蓋を設けるようにした。そして上蓋の縁を内側に折り返すように構成した。
【００１４】
従って、上蓋を開けることで、貯留手段に貯留されている使用済み商品の貯留量を容易に確認することができる。また、上蓋の縁を内側に折り返すようにしたので、上蓋の強度を高めることができる。
【００１５】
請求項４に記載の発明によれば、開口部を覆う上蓋に投入口を設けるようにした。従って、上蓋を、貯留量の確認するための開口部を覆う役割と使用済み商品を投入する役割とに兼用することができ、回収箱全体の大きさをコンパクト化することができる。
【００１７】
請求項５に記載の発明によれば、使用済み商品回収箱に、留め具を備えて、表示板を使用位置において保持及び解除できるようにした。
従って、表示板を使用位置に維持させることが容易になる。
【００１８】
請求項６に記載の発明によれば、使用済み商品回収箱に面ファスナーを備えて、表示板を使用位置において保持及び解除できるようにした。
従って、簡単な構造で表示板を使用位置に維持させることができる。
【００１９】
【発明の実施の形態】
以下、本発明を具体化した一実施形態を図１〜図４に従って説明する。図１，図３及び図４は、本実施形態の使用済み商品回収箱としての回収箱１１の斜視図を示し、図２は、同じく回収箱１１の断面図を示す。
【００２０】
回収箱１１は、パソコンショップ等に設置されて、ユーザーによって持ち込まれた使用済みのインクカートリッジ及びトナーカートリッジを回収するためのものである。そして、図１に示すように、回収箱１１は、直方体状の本体部１２と、本体部１２の上端開口に開閉自在に組み付けられている上蓋１３と、本体部１２と上蓋１３との背面側に設けられた表示板としての表示ボード１４とを備えている。
【００２１】
本体部１２は、略４角筒形状の本体カバー部１５を備え、図２に示すように、その本体カバー部１５の上縁部内側には、正方形の枠型に形成されている第１補強材１６ａが水平方向に配設されている。また、本体カバー部１５の内側の第１補強材１６ａより下方には、第１補強材１６ａと同じ形状の第２補強材１６ｂ，第３補強材１６ｃ，第４補強材１６ｄが順に水平方向に設けられている。そして、本体カバー部１５の４つの角の内側には、前記第１〜第４補強材１６ａ〜１６ｄを連結するように、４つの連結用補強材１７が鉛直方向に設けられている。
【００２２】
また、第２補強材１６ｂと第４補強材１６ｄの上には、それぞれ、正方形の平板状に形成された第１底板１８及び第２底板１９が載置されており、これら第１及び第２底板１８，１９は、前記第２及び第４補強材１６ｂ，１６ｄの上面と当接して、下側方向への移動が規制されるようになっている。そして、本体カバー部１５と、第１及び第２底板１８，１９とによって、本体部１２の内部は、第１底板１８より上側の貯留手段としての上側回収室２１と、第１底板１８より下側の下側回収室２２との２室が形成されるようになっている。
【００２３】
前記上側回収室２１は、その上面と前面の全体が開口しており、それぞれ、上面側開口部２３、正面側開口部２４となっている。そして、図１及び図２に示すように、正面側開口部２４は、回収手段としての第１回収用扉２５によって覆われている。この第１回収用扉２５は、図３に示すように、右端部にヒンジ２５ａを備え、このヒンジ２５ａを介して本体カバー部１５に対して、開閉可能に支持されている。すなわち、第１回収用扉２５は、図３に示すように右側に向かって回動可能となっており、正面側開口部２４を開いたり閉じたりすることが可能となっている。
【００２４】
図２に示すように、前記下側回収室２２は、前面の全体が開口しており、第３補強材１６ｃより上側の上側開口部２６と、第３補強材１６ｃより下側の下側開口部２７とを備えている。なお、上側開口部２６の大きさは、トナーカートリッジが通過可能となるような大きさとなっている。そして、図１および図２に示すように、これら上側開口部２６及び下側開口部２７は、投入用扉２８及び第２回収用扉２９によって覆われている。
【００２５】
投入用扉２８は、上端に軸２８ａが貫通固定されており、この軸２８ａの両端が前記本体カバー部１５に対して回転可能に支持されている。そして、この投入用扉２８は、図３に示すように、軸２８ａを支軸として本体部１２の背面方向に向かって回動可能となっており、上側開口部２６を開いたり閉じたりすることが可能となっている。
【００２６】
第２回収用扉２９は、図３に示すように、右端部にヒンジ２９ａを備え、このヒンジ２９ａを介して本体カバー部１５に対して開閉可能に支持されている。すなわち、第２回収用扉２９は、図３に示すように右側に向かって回動可能となっており、下側開口部２７を開いたり閉じたりすることが可能となっている。
【００２７】
なお、以上の上側回収室２１及び下側回収室２２には、図２に２点鎖線で示すように、上面が開口したダンボール箱Ｂ１，Ｂ２がそれぞれ収納されるようになっている。そして、これらのダンボール箱Ｂ１，Ｂ２は、前記正面側開口部２４と、下側開口部２７を介して上側及び下側回収室２１，２２に対して出し入れされるようになっている。
【００２８】
また、図１に示すように、前記本体カバー部１５の左側壁部３１には、上部及び中央部分に穴３１ａ，３１ｂが設けられている。そして、図４に示すように、右側壁部３２には、前記左側壁部３１と同様にして上部及び中央部分に穴３２ａ，３２ｂが設けられている。これら穴３１ａ，３１ｂ，３２ａ，３２ｂは、本体部１２を持ち運ぶ時の取っ手として使用されるようになっている。
【００２９】
図１に示すように、前記上蓋１３は、略直方体形状に形成され、前記本体部１２の上面側開口部２３を覆うようにして設けられており、上面３３は前面方向にわずかに下がるように傾斜している。そして、上面３３には、左右一対の２つの投入口３４が設けられている。なお、これらの投入口３４は、それぞれ、上面３３にコの字状に切り込みを入れることによりツメ部３６を設け、これらのツメ部３６を上蓋１３の内側に、正面側から奥側へと折り込むことによって形成される。
【００３０】
なお、投入口３４の大きさは、インクカートリッジが通過可能な大きさとなっている。そして、ツメ部３６には、表示部３８が設けられており、この表示部３８には、「インクカートリッジはこちら」といった、ユーザーにインクカートリッジの投入を促す案内表示が表示されている。
【００３１】
図４に示すように、上蓋１３の背面４１の上部には、左右一対の固定部４２が設けられている。なお、これら固定部４２は、それぞれ、背面４１にコの字状に切りこみを入れることにより設けられている。また、これらの固定部４２には、金属の板状に形成された連結部４４の一端が固定されている。そして、これらの連結部４４は、他端が本体部１２の背面４６に固定されており、連結部４４によって上蓋１３は本体部１２に対して開閉可能に支持されている。
【００３２】
すなわち、図３に示すように、上蓋１３は、これらの固定部４２の上端を支軸として、上側に向かって回動可能となっており、本体部１２の上面側開口部２３を開いたり閉じたりすることが可能となっている。なお、図４に示すように、前記連結部４４には、雌型の面ファスナー４４ａがそれぞれ設けられている。
【００３３】
そして、上蓋１３の下縁は、図３に示すように、斜め上方に折り返された状態となっており、正面側折り返し部５１、左側折り返し部５２、背面側折り返し部５３、右側折り返し部５４となっている。また、折り返し部５１，５３には、左右の端部にそれぞれ接続シロ５１ａ，５３ａが設けられ、折り返し部５２，５４には左右の端部にそれぞれ切り込み部５２ａ，５４ａが設けられている。
【００３４】
そして、各接続シロ５１ａ，５３ａは、対応する切り込み部５２ａ，５４ａに挿入固定されており、各折り返し部５１〜５４が連結されるようになっている。また、各折り返し部５１〜５４が連結することによって、上蓋１３の下面には開口部５５が形成される。
【００３５】
図１に示すように、前記表示ボード１４は、上部が半円状に、下部が長方形状に形成されている。そして、表示ボード１４には、図４に示すように、水平方向に折り目１４ｂが設けられており、折り目１４ｂより下は本体部１２の背面４６に固定されている固定部５６となっている。また、折り目１４ｂより上は、可動部５７となっており、折り目１４ｂを支軸として上下方向に回動可能となっている。そして、可動部５７の表面１４ａには、表示部５８が設けられており、この表示部５８には、広告情報等が表示されている。
【００３６】
また、図４に示すように、表示ボード１４の表面１４ａの、前記連結部４４の面ファスナー４４ａと一致する位置には、雄型の面ファスナー６１が設けられている。従って、表示ボード１４の可動部５７が最も高い位置（使用位置）に移動されると、表示ボード１４の面ファスナー６１が、連結部４４の面ファスナー４４ａと係着するようになり、可動部５７が最も高い位置で固定されるようになる。そして、この状態では、表示部５８が回収箱１１の前方から視認可能となっている。
【００３７】
従って、輸送時には、図４に示すように、表示ボード１４の可動部５７が最も低い位置（折り畳み位置）に移動され、回収箱１１がコンパクト化されて運ばれる。そして、パソコンショップ等に置かれる際には、図１に示すように、表示ボード１４の可動部５７が最も高い位置に移動され、表示部５８の広告情報等が、ユーザーに対して視認可能な状態となる。
【００３８】
なお、回収箱１１のうち、上蓋１３、表示ボード１４、本体カバー部１５、第１及び第２底板１８，１９、第１回収用扉２５、投入用扉２８及び第２回収用扉２９は、回収した使用済みインクカートリッジを原料とした気泡ボードで形成されている。
【００３９】
そして、以上のように構成された回収箱１１は、ユーザーによってインクカートリッジの投入が希望される場合には、ツメ部３６の表示部３８が確認され、投入口３４から、インクカートリッジが投入される。そして、投入されたインクカートリッジは、開口部５５及び上面側開口部２３を通過して上側回収室２１に収納されているダンボール箱Ｂ１の中に落下される。
【００４０】
また、ユーザーによってトナーカートリッジの投入が希望される場合には、投入用扉２８にトナーカートリッジが押し付けられ、投入用扉２８が開いて上側開口部２６を介してトナーカートリッジが投入される。そして、投入されたトナーカートリッジは、下側回収室２２に収納されているダンボール箱Ｂ２の中に落下される。
【００４１】
上記のインクカートリッジ及びトナーカートリッジの投入が繰り返し行われ、前記ダンボール箱Ｂ１，Ｂ２が一杯になると、作業員等によって、第１回収用扉２５及び第２回収用扉２９が開けられる。そして、インクカートリッジ及びトナーカートリッジがダンボール箱Ｂ１，Ｂ２に入った状態で正面側開口部２４及び下側開口部２７を介して取り出される。なお、このとき、ダンボール箱Ｂ１の中に貯留されているインクカートリッジの貯留量は、上蓋１３が上方に移動されることにより確認される。
【００４２】
上記実施形態によれば、以下のような特徴を得ることができる。
（１）  回収箱１１の上蓋１３にコの字状の切り込みを入れてツメ部３６を形成し、ツメ部３６を回収箱１１の内部方向に折り曲げることによって、使用済みインクカートリッジを投入可能な投入口３４を形成するようにした。そして、ツメ部３６に表示部３８を備えるようにした。
【００４３】
従って、ツメ部３６の表示部３８に投入すべきカートリッジの種類を記載して、ユーザーにカートリッジの投入を促すことができる。その結果、正面方向からの表示部３８の視認が容易になり、ユーザーは、間違った種類のカートリッジを投入することがなくなる。そして、投入口３４の周りに、投入すべきカートリッジの種類を記載するためのスペースを設ける必要がなくなり、回収箱１１をコンパクト化することができる。
【００４４】
（２）  １つの回収箱１１に、２つの投入口３４を設けるようにした。
従って、使用済みカートリッジは、２つの投入口３４より投入され、上側回収室２１のダンボール箱Ｂ１に落下するようになり、ダンボール箱Ｂ１内で偏りが生じることなく均一に貯留されるようになる。
【００４５】
（３）  上側回収室２１の上面を開口して上面側開口部２３とし、上蓋１３によって開閉可能に覆うようにした。
従って、上蓋１３を開けることによって、上側回収室２１のダンボール箱Ｂ１の中のインクカートリッジの貯留量を容易に確認することができる。
【００４６】
（４）上蓋１３の下縁に、折り返し部５１〜５４を設けるようにした。
従って、上蓋１３の強度を高めることができる。
（５）  回収箱１１に、上蓋１３を設け、上蓋１３に投入口３４を設けるようにした。
【００４７】
従って、使用済みカートリッジの貯留量を確認するための上面側開口部２３を覆う上蓋１３に、投入口３４を設けるようにしたので、回収箱１１をコンパクト化することができる。
【００４８】
（６）  回収箱１１の背面４６に、折り目１４ｂと固定部５６と可動部５７とを備えた表示ボード１４を設け、可動部５７を、折り目１４ｂを支軸として上下方向に回動可能となるようにした。そして、可動部５７が最も高い位置になると、可動部５７の表示部５８が回収箱１１の前方から視認可能となるようにした。
【００４９】
従って、回収箱１１をパソコンショップ等に設置する時には、可動部５７の表示部５８にカートリッジの投入を促す表示等を施して、可動部５７を最も高い位置に移動させてユーザーに対して視認可能とすることによって、ユーザーにカートリッジの投入を促すことができる。また、輸送時のように、表示部５８の表示が不要な時には、可動部５７を最も低い位置に移動させ、回収箱１１をコンパクト化することができる。
【００５０】
（７）  連結部４４に設けられた雌型の面ファスナー４４ａと表示ボード１４の表面１４ａに設けられた雄型の面ファスナー６１とを係着することによって、可動部５７を最も高い位置にある状態で保持できるようにした。
【００５１】
従って、簡単な構造で可動部５７を最も高い位置に維持させることができる。
なお、上記実施形態は以下のように変更してもよい。
・上記実施形態においては、投入口３４は、上蓋１３の上面３３にコの字状に切り込みを入れてツメ部３６を設けて形成するようにしたが、その他の形状、例えば、Ｖ字状に切り込みを入れて形成するようにしてもよい。
【００５２】
・上記実施形態においては、上蓋１３に２つの投入口３４を設けるようにしたが、１つのみ設けるようにしてもよい。また、３つ以上設けるようにしてもよい。
【００５３】
・上記実施形態においては、上蓋１３の下縁に折り返し部５１〜５４を設けるようにしたが、設けないようにしてもよい。
・上記実施形態においては、上蓋１３を本体部１２に対して、上下方向に開閉可能となるように設けたが、上蓋１３を本体部１２に対して開閉不可能に設けるようにしてもよい。
【００５４】
・上記実施形態においては、表示ボード１４は可動部５７を備え、表示部５８が視認可能及び視認不可能となるように可動部５７が回動するようにしたが、回動しないようにし、常に表示部５８が視認可能となるようにしてもよい。
【００５５】
・上記実施形態においては、表示ボード１４を備えるようにしたが、備えないようにしてもよい。
・上記実施形態においては、トナーカートリッジを回収するために下側回収室２２や投入用扉２８、ダンボール箱Ｂ２等を設けるようにしたが、これらを設けないようにし、回収箱１１は、インクカートリッジ専用の回収箱とするようにしてもよい。
【００５６】
・上記実施形態においては、回収箱１１は、使用済みのインクカートリッジ及びトナーカートリッジを回収するように構成したが、その他の使用済み商品、例えば、インクタンク、インクリボンカートリッジ、各種アクセサリー用品等を回収する回収箱として構成してもよい。
【００５７】
・上記実施形態においては、留め具として面ファスナー４４ａ，６１を使用したが、それ以外の留め具でもよい。たとえば、吸着板、マグネット、両面テープ、吸盤等としてもよい。
【００５８】
・上記実施形態においては、回収箱１１のうち、上蓋１３、表示ボード１４、本体カバー部１５、第１及び第２底板１８，１９、第１回収用扉２５、投入用扉２８及び第２回収用扉２９は、回収した使用済みインクカートリッジを原料とした気泡ボードで形成するようにした。しかし、その他の材料を原料として形成するようにしてもよい。
【００５９】
次に上記実施形態及び別例から把握できる技術的思想について、それらの効果とともに以下に追記する。
（１）  前記使用済み商品は、使用済みのインクカートリッジであることを特徴とする使用済み商品回収箱。
【００６０】
従って、この（１）に記載の発明によれば、使用済みカートリッジを回収する使用済み商品回収箱について、投入口を容易に見分けることができるようになるとともに、小型化することができる。
【００６１】
（２）  上記（１）に記載の使用済み商品回収箱において、
使用済みトナーカートリッジを投入可能なトナーカートリッジ専用投入口と、前記トナーカートリッジ専用投入口より投入され落下する前記使用済みトナーカートリッジを受けて貯留するトナーカートリッジ専用貯留手段と、前記トナーカートリッジ専用貯留手段に貯留されている前記使用済みトナーカートリッジを取り出し可能なトナーカートリッジ専用回収口とを備えたことを特徴とする使用済み商品回収箱。
【００６２】
従って、この（２）に記載の発明によれば、使用済みのインクカートリッジと使用済みのトナーカートリッジとの両方を回収する使用済み商品回収箱について、投入口を容易に見分けることができるようになるとともに、小型化することができる。
【００６３】
【発明の効果】
以上、詳述したように、請求項１〜６に記載の発明によれば、使用済み商品回収箱を小型化するとともに、投入口を容易に見分けることができるようになる。
【００６４】
加えて、請求項２に記載の発明によれば、使用済み商品を、偏りを防止して均一に貯留することができる。
加えて、請求項３に記載の発明によれば、上蓋の強度を高めることができる。
【図面の簡単な説明】
【図１】本実施形態の使用済み商品回収箱の斜視図である。
【図２】同じく、使用済み商品回収箱の断面図である。
【図３】同じく、使用済み商品回収箱の斜視図である。
【図４】同じく、使用済み商品回収箱の斜視図である。
【符号の説明】
１１  使用済み商品回収箱としての回収箱
１２  本体部
１３  上蓋
１４  表示板としての表示ボード
２１  貯留手段としての上側回収室
２３  開口部としての上面側開口部
２５  回収手段としての第１回収用扉
３４  投入口
３６  ツメ部
３８  表示部
４６  背面
５１  正面側折り返し部
５２  左側折り返し部
５３  背面側折り返し部
５４  右側折り返し部
４４ａ，６１  面ファスナー
【図１】
0003736448.tif 000002
【図２】
0003736448.tif 000003
【図３】
0003736448.tif 000004
【図４】
0003736448.tif 000005